(57)【要約】【課題】ユーザの操作性を向上させる。【解決手段】情報処理装置１２の第１出力部２０は、ユーザの注意を喚起する喚起情報を出力可能である。受信部１６は、喚起情報を出力可能な第２出力部３０を備えた操作機器１４から、該操作機器１４の操作内容を含む第１信号を受け付ける。記憶部１８は、操作内容に応じて、第１出力部２０及び第２出力部３０の内ユーザが次に操作または視認すべき出力部に喚起情報を出力させる制御を行う。【選択図】図１
2014063419.tif 000002
【特許請求の範囲】
【請求項１】
ユーザの注意を喚起する喚起情報を出力可能な第１出力部と、
前記喚起情報を出力可能な第２出力部を備えた操作機器から、該操作機器の操作内容を含む第１信号を受け付ける受付部と、
前記操作内容に応じて、前記第１出力部及び前記第２出力部の内、ユーザが次に操作または視認すべき出力部に、前記喚起情報を出力させる制御を行う出力制御部と、
を備えた情報処理装置。
【請求項２】
前記操作内容毎に、前記第１出力部及び前記第２出力部の内、ユーザが次に操作または視認すべき出力部を示す識別情報を予め記憶した記憶部を更に備え、
前記出力制御部は、前記第１出力部及び前記第２出力部の内、受け付けた前記第１信号に含まれる前記操作内容に対応する前記識別情報によって特定される出力部に、前記喚起情報を出力させる制御を行う、
請求項１に記載の情報処理装置。
【請求項３】
前記記憶部は、前記操作内容毎に、前記喚起情報を含む複数の処理内容、前記処理内容の処理順、及び前記処理内容に対応する前記識別情報を予め記憶し、
前記出力制御部は、受け付けた前記第１信号に含まれる前記操作内容に対応する複数の前記処理内容を、対応する処理順に従って順次読取り、読取った処理内容に含まれる前記喚起情報を、該処理内容に対応する識別情報によって特定される出力部に出力させる制御を行う、
請求項２に記載の情報処理装置。
【請求項４】
前記喚起情報は、ユーザに対して次に視認すべき出力部への誘導を促す情報である、請求項１〜請求項３の何れか１項に記載の情報処理装置。
【請求項５】
前記喚起情報は、前記操作機器により操作された前記喚起情報が出力される直前の操作内容と、ユーザが次に操作すべき操作内容と、を含む、請求項１〜請求項４の何れか１項に記載の情報処理装置。
【請求項６】
情報処理装置と、操作機器と、を備えた情報処理システムであって、
前記情報処理装置は、
ユーザの注意を喚起する喚起情報を出力可能な第１出力部と、
前記喚起情報を出力可能な第２出力部を備えた前記操作機器から、該操作機器の操作内容を含む第１信号を受け付ける受付部と、
前記操作内容に応じて前記第１出力部及び前記第２出力部の内、ユーザが次に視認すべき出力部に前記喚起情報を含む第２信号を送信する制御を行う第１出力制御部と、
を備え、
前記操作機器は、
ユーザから操作指示を受け付ける操作部と、
前記操作指示によって示される操作内容を含む前記第１信号を前記情報処理装置へ送信する送信部、及び前記第２信号を前記情報処理装置から受信する受信部、を含む第２通信部と、
受信した前記第２信号に含まれる前記喚起情報を出力する前記第２出力部と、
を備えた、
情報処理システム。
【請求項７】
ユーザの注意を喚起する喚起情報を出力可能な第１出力部を備えたコンピュータに実行させるための情報処理プログラムであって、
前記喚起情報を出力可能な第２出力部を備えた操作機器から、該操作機器の操作内容を含む第１信号を受け付けるステップと、
前記操作内容に応じて、前記第１出力部及び前記第２出力部の内、ユーザが次に操作または視認すべき出力部に、前記喚起情報を出力させる制御を行うステップと、
を前記コンピュータに実行させるための情報処理プログラム。
【請求項８】
ユーザの注意を喚起する喚起情報を出力可能な第１出力部を備えた情報処理装置で実行される情報処理方法であって、
前記喚起情報を出力可能な第２出力部を備えた操作機器から、該操作機器の操作内容を含む第１信号を受け付けるステップと、
前記操作内容に応じて、前記第１出力部及び前記第２出力部の内、ユーザが次に操作または視認すべき出力部に、前記喚起情報を出力させる制御を行うステップと、
を含む、情報処理方法。
【発明の詳細な説明】
【技術分野】
【０００１】
本発明は、情報処理装置、情報処理システム、情報処理プログラム、及び情報処理方法に関する。
【背景技術】
【０００２】
画像や音声等の各種情報を出力する情報処理装置を、リモコン（リモートコントローラ）等の操作機器から遠隔操作する技術が知られている。また、操作性の向上の観点から、様々な試みがなされている（例えば、非特許文献１、及び特許文献１参照）。
【０００３】
非特許文献１には、テレビリモコンに音声出力機能を備えることが開示されている。特許文献１では、音源機器の音量等の状態を示す機器情報に基づいて、ユーザによるリモコン入力操作を必要とする処理の一部を音声送信装置で自動的に実行する。特許文献１では、この処理により、ユーザによる入力回数の削減を図っている。
【先行技術文献】
【特許文献】
【０００４】
【特許文献１】特開２００２−２７１８７２号公報
【非特許文献】
【０００５】
【非特許文献１】登録実用新案第３０３０７１６号公報
【発明の概要】
【発明が解決しようとする課題】
【０００６】
ここで、ユーザは、情報処理装置の動作状態や出力状態等を確認しながら、リモコン等の操作機器を操作する場合がある。このような場合、ユーザは、情報処理装置側への視線移動と、操作機器側への視線移動と、を何度も繰り返す必要がある。このような視線移動の繰り返し回数は、特に、複雑な操作を必要とする情報処理装置であるほど多くなる傾向にある。また、情報処理装置や操作機器に不慣れなユーザであるほど、次に視線を向けるべき装置や次に行うべき操作内容が分かりにくく、操作性の悪化を招いていた。
【０００７】
しかし、従来の技術では、次の操作対象の装置側や次の確認対象の装置側へユーザの意識を誘導させることは困難であり、操作性の改善には至っていなかった。
【０００８】
本発明は、上記に鑑みてなされたものであって、ユーザの操作性を向上させることができる、情報処理装置、情報処理システム、情報処理プログラム、及び情報処理方法を提供することを主な目的とする。
【課題を解決するための手段】
【０００９】
本発明の情報処理装置は、第１出力部と、受付部と、記憶部と、出力制御部と、を備える。第１出力部は、ユーザの注意を喚起する喚起情報を出力可能である。受付部は、前記喚起情報を出力可能な第２出力部を備えた操作機器から、該操作機器の操作内容を含む第１信号を受け付ける。出力制御部は、前記操作内容に応じて、前記第１出力部及び前記第２出力部の内、ユーザが次に操作または視認すべき出力部に、前記喚起情報を出力させる制御を行う。
【００１０】
本発明の情報処理システムは、情報処理装置と、操作機器と、を備える。情報処理装置は、第１出力部と、受付部と、記憶部と、出力制御部と、を備える。第１出力部は、ユーザの注意を喚起する喚起情報を出力可能である。受付部は、前記喚起情報を出力可能な第２出力部を備えた操作機器から、該操作機器の操作内容を含む第１信号を受け付ける。出力制御部は、前記操作内容に応じて、前記第１出力部及び前記第２出力部の内、ユーザが次に操作または視認すべき出力部に、前記喚起情報を出力させる制御を行う。操作装置は、操作部と、第２通信部と、前記第２出力部と、を備える。操作部は、ユーザから操作指示を受け付ける。第２通信部は、前記操作指示によって示される操作内容を含む前記第１信号を前記情報処理装置へ送信する送信部、及び前記第２信号を前記情報処理装置から受信する受信部、を含む。前記第２出力部は、受信した前記第２信号に含まれる前記喚起情報を出力する。
【００１１】
本発明の情報処理プログラムは、ユーザの注意を喚起する喚起情報を出力可能な第１出力部を備えたコンピュータに実行させるための情報処理プログラムであって、前記喚起情報を出力可能な第２出力部を備えた操作機器から、該操作機器の操作内容を含む第１信号を受け付けるステップと、前記操作内容に応じて、前記第１出力部及び前記第２出力部の内、ユーザが次に操作または視認すべき出力部に、前記喚起情報を出力させる制御を行うステップと、を前記コンピュータに実行させるための情報処理プログラムである。
【００１２】
本発明の情報処理方法は、ユーザの注意を喚起する喚起情報を出力可能な第１出力部を備えた情報処理装置で実行される情報処理方法であって、前記喚起情報を出力可能な第２出力部を備えた操作機器から、該操作機器の操作内容を含む第１信号を受け付けるステップと、前記操作内容に応じて、前記第１出力部及び前記第２出力部の内、ユーザが次に操作または視認すべき出力部に、前記喚起情報を出力させる制御を行うステップと、を含む、情報処理方法である。
【発明の効果】
【００１３】
本発明によれば、ユーザの操作性を向上させることができる、という効果を奏する。
【図面の簡単な説明】
【００１４】
【図１】図１は、実施形態１の情報処理システムの機能ブロックである。
【図２】図２は、第１条件データのデータ構造の一例を示す図である。
【図３】図３は、第２条件データのデータ構造の一例を示す図である。
【図４】図４は、情報処理装置が実行する情報処理の手順を示すフローチャートである。
【図５】図５は、操作機器が実行する情報処理の手順を示すフローチャートである。
【図６】図６は、情報処理システムで実行する情報処理の流れを示すシーケンス図である。
【図７】図７は、実施形態２で情報処理装置の制御部が実行する喚起情報出力処理の一例を示すフローチャートである。
【発明を実施するための形態】
【００１５】
以下に添付図面を参照して、本実施形態にかかる情報処理システム、情報処理装置、及び情報処理方法の実施形態を詳細に説明する。
【００１６】
＜実施形態１＞
図１は、実施形態１の情報処理システム１０の機能ブロック図である。
【００１７】
情報処理システム１０は、情報処理装置１２と、操作機器１４と、を備える。情報処理装置１２と操作機器１４とは、有線または無線の通信回線を介して接続されている。
【００１８】
情報処理装置１２は、各種情報を出力する出力部（後述する第１出力部２０）を備えた装置であり、操作機器１４によって遠隔操作される。情報処理装置１２は、操作機器１４の操作内容を示す第１信号を受信し、受信した第１信号に応じた処理を実行する（詳細後述）。情報処理装置１２は、例えば、テレビ、及びハードディスクレコーダ（録画装置）等の音響・映像機器（ＡＶ機器）や、空調装置等の家電製品、電子機器、玩具等であるが、これらに限られない。
【００１９】
なお、実施形態１では、一例として、情報処理装置１２がハードディスクレコーダである場合を説明する。
【００２０】
情報処理装置１２は、受信部１６、記憶部１８、第１出力部２０、通信部２２、及び制御部２４を備える。
【００２１】
受信部１６は、番組データを受信する。受信部１６は、図示を省略する放送局からの放送電波を番組データとして受信するテレビチューナや、インターネットから番組データを受信するネットワークインターフェース等である。
【００２２】
番組データの番組の例としては、ＴＶ放送番組、ＤＶＤなどの記録媒体やＶＯＤサービスの形態等で配信、販売、配布されている映画・ビデオクリップ、Ｗｅｂ上で配信されている動画像、カメラや携帯電話で撮影した動画像等が挙げられる。
【００２３】
第１出力部２０は、各種情報を出力する出力装置である。本実施形態では、第１出力部２０は、少なくとも喚起情報を出力可能である。
【００２４】
喚起情報は、ユーザの注意を喚起する情報である。詳細には、喚起情報は、ユーザに対して次に視認すべき出力部（本実施形態では、情報処理装置１２に設けられた第１出力部２０、または、後述する操作機器１４に設けられた第２出力部３０）への誘導を促す情報である。喚起情報は、ユーザが操作機器１４において行った操作内容、及び、次に操作すべき操作内容を含むことが好ましい。
【００２５】
第１出力部２０は、音、光、映像、画像、及び振動の少なくとも１種により、喚起情報を出力する。第１出力部２０には、例えば、ＬＣＤ（液晶ディスプレイ）等の公知の表示装置による表示機能、音声を出力する公知のスピーカによるスピーカ機能、光を発する公知の光源等の発光機能、振動を生じさせる公知の振動装置による振動機能、または、情報処理装置１２に接続されるほかの機器に対して指示する指示機能等の各種機能の少なくとも１つを組み合わせたものが挙げられる。情報処理装置１２に接続されるほかの機器は表示機能、スピーカ機能、発光機能、振動機能の少なくとも１つを備える。
【００２６】
なお、本実施形態では、第１出力部２０として、表示機能及びスピーカ機能を備えた公知の表示装置を用いる場合を説明する。
【００２７】
通信部２２は、操作機器１４との間で各種信号を送受信する。本実施形態では、通信部２２は、操作機器１４から第１信号を受信する。また、通信部２２は、制御部２４の制御によって操作機器１４へ第２信号を送信する。
【００２８】
第１信号は、操作機器１４の操作内容を含む信号である。第２信号は、操作機器１４から受け付けた第１信号に含まれる操作内容に対応する喚起情報を含む。
【００２９】
通信部２２は、操作機器１４との間で各種情報を有線または無線の通信回線を介して送受信可能な装置であればよい。通信部２２としては、例えば、赤外線や電波等の無線で信号の送受信を行う公知のインターフェース機器が挙げられる。
【００３０】
記憶部１８は、ハードディスクドライブ装置（ＨＤＤ）等の記憶媒体である。記憶部１８は、受信部１６で受信した番組データを記憶する。また、記憶部１８は、第１条件データ等の各種データを記憶する。
【００３１】
図２は、第１条件データのデータ構造の一例を示す図である。図２に示すように、第１条件データは、処理条件と、処理内容と、を対応づけたテーブルである。
【００３２】
処理条件は、情報処理装置１２が各種処理を実行するときの条件を示す。本実施形態では、処理条件は、情報処理装置１２の状態と、操作機器１４の操作内容と、を含む。
【００３３】
情報処理装置１２の状態は、対応する処理内容を実行するときの情報処理装置１２の状態を示す。情報処理装置１２の状態には、例えば、情報処理装置１２が電源オフ中であることを示す「電源オフ中」、情報処理装置１２に電力が供給されている状態を示す「電源オン中」、及び情報処理装置１２が再生可能な番組名一覧の表示中である状態を示す「再生可能な番組名一覧の表示中」等があるが、これらに限られない。
【００３４】
操作機器１４の操作内容は、ユーザによる操作機器１４の操作内容を示す情報である。操作内容は、例えば、「電源」ボタン操作、「再生」ボタン操作、「新規予約」ボタン操作、「上矢印」ボタン操作、「下矢印」ボタン操作、及び「決定」ボタン操作等であるが、これらに限られない。
【００３５】
処理内容は、対応する処理条件のときに情報処理装置１２で実行する処理の内容である。本実施形態では、処理内容は、処理順と、出力内容と、出力部を示す識別情報と、を含む。
【００３６】
処理順は、処理条件に対応する１または複数の出力内容を処理する順番を示す。出力部を示す識別情報は、ユーザが次に視認すべき出力部を識別するための情報である。本実施形態では、第１条件データには、情報処理装置１２に設けられた第１出力部２０の識別情報、または操作機器１４に設けられた第２出力部３０を示す識別情報が格納される。
【００３７】
出力内容は、情報処理装置１２に設けられた第１出力部２０及び操作機器１４に設けられた第２出力部３０の内、対応する識別情報によって特定される出力部に出力する内容を示す。出力内容は、対応する操作内容に応じた、ユーザの注意を喚起する喚起情報を含む。
【００３８】
喚起情報は、上述したように、ユーザに対して次に視認すべき出力部への誘導を促す情報である。図２に示す例では、喚起情報として、「電源が入りました」を示す情報、「新規予約」ボタンまたは「再生」ボタンの操作を促す情報、「再生一覧を表示します」を示す情報、「上矢印」ボタン、「下矢印」ボタンまたは「決定」ボタンの操作を促す情報、「上」を示す情報、「下」を示す情報、及び「番組名Ｙを再生します」を示す情報等が予め設定されている。
【００３９】
なお、出力内容は、喚起情報に限られず、出力部（第１出力部２０または第２出力部３０）へ出力する対象の各種情報を含んでいてもよい。すなわち、出力内容は、第１出力部２０へ出力する番組映像等であってもよい。
【００４０】
図１に戻り、制御部２４は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）などを含んで構成されるコンピュータであり、情報処理装置１２全体を制御する。
【００４１】
制御部２４は、受付部２４Ａ、第１出力制御部２４Ｂ、及び送信部２４Ｃを備える。
【００４２】
受付部２４Ａは、操作機器１４から、通信部２２を介して第１信号を受け付ける。第１信号は、上述のように、操作機器１４の操作内容を含む。
【００４３】
第１出力制御部２４Ｂは、受付部２４Ａで受け付けた第１信号に含まれる操作内容と、情報処理装置１２の現在の状態と、に対応する処理内容を、記憶部１８の第１条件データから読取る。そして、読取った処理内容に示される１または複数の出力内容を、各出力内容に対応する処理順に、各出力内容に対応する識別情報によって特定される出力部（第１出力部２０または第２出力部３０）へ出力させる制御を行う。
【００４４】
上述したように、出力内容は、喚起情報を含む。このため、第１出力制御部２４Ｂは、受付部２４Ａで受け付けた第１信号に含まれる操作内容と、情報処理装置１２の現在の状態と、に対応する喚起情報を、対応する識別情報によって特定される出力部（第１出力部２０または第２出力部３０）に出力させる制御を行うこととなる。
【００４５】
具体的には、出力部を示す識別情報が、自装置の出力部、すなわち、情報処理装置１２の第１出力部２０を示す場合を想定する。この場合、第１出力制御部２４Ｂは、第１出力部２０に、対応する出力内容（喚起情報）を出力させる制御を行う。例えば、出力内容に含まれる喚起情報が「電源が入りました」を示す情報であり、出力部を示す識別情報が第１出力部２０を示す場合を想定する。この場合、第１出力制御部２４Ｂは、第１出力部２０に、「電源が入りました」を示す喚起情報を出力させる制御を行う。
【００４６】
一方、出力部を示す識別情報が外部装置の出力部、すなわち、操作機器１４の第２出力部３０を示す場合を想定する。この場合には、第１出力制御部２４Ｂは、対応する出力内容（喚起情報）を含む第２信号を、送信部２４Ｃ及び通信部２２を介して操作機器１４へ送信する制御を行う。
【００４７】
送信部２４Ｃは、第２信号等の各種信号を操作機器１４へ送信する制御を行う。
【００４８】
次に、操作機器１４について説明する。
【００４９】
操作機器１４は、情報処理装置１２を遠隔操作する機器である。本実施形態では、操作機器１４は、各種情報を出力する第２出力部３０を備える。
【００５０】
操作機器１４は、例えば、リモートコントローラ（リモコン）等の公知の遠隔操作機器や、携帯可能な携帯端末等である。
【００５１】
操作機器１４は、通信部２６（第２通信部）、記憶部２８、第２出力部３０、操作部３２、及び制御部３４を備える。
【００５２】
第２出力部３０は、各種情報を出力する出力装置である。本実施形態では、第２出力部３０は、少なくとも喚起情報を出力可能である。第２出力部３０は、音、光、画像（文字、絵、動画）、及び振動の少なくとも１種により、各種情報を外部へ出力する公知の機器であればよい。
【００５３】
第２出力部３０には、例えば、ＬＣＤ（液晶ディスプレイ）等の公知の表示装置による表示機能、音声を出力する公知のスピーカによるスピーカ機能、光を発する公知の光源等の発光機能、振動を生じさせる公知の振動装置による振動機能、等の各種機能の少なくとも１つを組み合わせたものが挙げられる。
【００５４】
なお、本実施形態では、第２出力部３０として、表示機能及びスピーカ機能を備えた公知の表示装置を用いる場合を説明する。
【００５５】
通信部２６は、情報処理装置１２との間で各種信号を送受信する。本実施形態では、通信部２６は、情報処理装置１２へ第１信号を送信する図示しない送信部を含む。また、通信部２６は、情報処理装置１２から第２信号を受信する図示しない受信部を含む。
【００５６】
通信部２６は、情報処理装置１２との間で各種情報を有線または無線の通信回線を介して送受信可能な装置であればよい。通信部２６としては、例えば、赤外線や電波等の無線で信号の送受信を行う公知のインターフェース機器が挙げられる。
【００５７】
操作部３２は、ユーザから各種操作内容の入力を受け付ける。操作部３２は、情報処理装置１２に対する操作内容をユーザから受け付ける。操作部３２には、操作内容に応じた指示を行うためのボタン（図示省略）が設けられている。
【００５８】
ボタンは、例えば、「電源」ボタン、「再生」ボタン、「新規予約」ボタン、「上矢印」ボタン、「下矢印」ボタン、及び「決定」ボタン等であるが、これらに限られない。ユーザによる操作部３２におけるこれらのボタンの操作指示によって、操作部３２は、操作されたボタン、例えば、「電源」ボタン操作、「再生」ボタン操作、「新規予約」ボタン操作、「上矢印」ボタン操作、「下矢印」ボタン操作、及び「決定」ボタン操作の各々の操作指示があったことを示す情報を操作内容として受け付ける。そして、操作部３２は、ユーザからの操作内容の入力があった場合、操作内容を含む第１信号を制御部３４へ出力する。
【００５９】
記憶部２８は、ハードディスクドライブ（ＨＤＤ）装置等の記憶媒体である。記憶部２８は、第２条件データ等の各種データを記憶する。
【００６０】
図３は、第２条件データのデータ構造の一例を示す図である。図３に示すように、第２条件データは、処理条件と、処理内容と、を対応づけたテーブルである。
【００６１】
第２条件データに示される処理条件は、操作機器１４が各種処理を実行するときの条件を示す。本実施形態では、第２条件データに示される処理条件は、情報処理装置１２から受信する第２信号、及び、ユーザによる操作部３２の操作内容である。なお、第２条件データは、更に他の処理条件を予め登録してもよい。
【００６２】
処理内容は、処理条件に対応して、操作機器１４で実行する処理を示す。本実施形態では、第２条件データは、処理条件としての「操作内容」に対応する処理内容として、「操作内容を示す第１信号を情報処理装置１２へ送信」する処理が予め設定されている。すなわち、第２条件データは、操作内容が「上矢印」ボタンである場合には、該「上矢印」ボタンを操作内容として含む第１信号を、情報処理装置１２へ送信することを処理内容として予め登録する。
【００６３】
また、第２条件データは、処理条件としての「第２信号受信」に対応する処理内容として、「第２信号に含まれる出力内容を出力」する処理が予め設定されている。すなわち、第２条件データは、情報処理装置１２から第２信号を受信した場合、受信した第２信号に含まれる処理内容、すなわち喚起情報を、第２出力部３０へ出力することを処理内容として予め登録する。
【００６４】
図１に戻り、制御部３４は、ＣＰＵ、ＲＯＭ、及びＲＡＭなどを含んで構成されるコンピュータであり、操作機器１４全体を制御する。
【００６５】
制御部３４は、受付部３４Ａ、第２出力制御部３４Ｂ、及び送信部３４Ｃを備える。
【００６６】
受付部３４Ａは、情報処理装置１２から通信部２６を介して第２信号を受け付ける。また、受付部３４Ａは、操作部３２から、ユーザによる操作部３２の操作内容を受け付ける。
【００６７】
第２出力制御部３４Ｂは、記憶部２８に記憶された第２条件データによって規定される処理条件に対応する処理内容を実行する。具体的には、第２出力制御部３４Ｂは、受付部３４Ａが第２信号を受け付けた場合には、第２出力部３０に、受け付けた第２信号に含まれる出力内容（喚起情報）を出力させる制御を行う。また、第２出力制御部３４Ｂは、受付部３４Ａが操作部３２から操作内容を受付けた場合には、受け付けた操作内容を含む第１信号を、送信部３４Ｃ及び通信部２６を介して情報処理装置１２へ送信する。送信部３４Ｃは、第１信号を、通信部２６を介して情報処理装置１２へ送信する制御を行う。
【００６８】
次に、情報処理装置１２及び操作機器１４の各々で実行する情報処理を説明する。
【００６９】
図４は、情報処理装置１２が実行する情報処理の手順を示すフローチャートである。
【００７０】
まず、受付部２４Ａが、操作機器１４から第１信号を受信したか否かを判断する（ステップＳ１００）。ステップＳ１００で否定判断すると（ステップＳ１００：Ｎｏ）、本ルーチンを終了する。一方、ステップＳ１００で肯定判断すると（ステップＳ１００：Ｙｅｓ）、ステップＳ１０２へ進む。
【００７１】
ステップＳ１０２では、第１出力制御部２４Ｂが、ステップＳ１００で受信した第１信号に含まれる操作内容と、現在の情報処理装置１２の状態と、に対応する処理内容を、記憶部１８の第１条件データから読み取る（ステップＳ１０２）。
【００７２】
ステップＳ１０２の処理によって、第１信号に含まれる操作機器１４の操作内容に対応する処理内容として、ユーザが次に視認すべき出力部を示す識別情報と、該識別情報によって特定される出力部（第１出力部２０または第２出力部３０）と、が読み取られる。
【００７３】
次に、第１出力制御部２４Ｂが、ステップＳ１０２で読取った処理内容によって示される処理を実行する（ステップＳ１０４）。そして、本ルーチンを終了する。
【００７４】
ここで、上述したように、ステップＳ１０２で読取った識別情報は、ユーザが次に視認すべき出力部を示す識別情報である。また、処理内容は、喚起情報を含む。第１出力制御部２４Ｂは、ステップＳ１０４において、ステップＳ１０２で読取った識別情報によって特定される出力部に、ステップＳ１０２で読取った喚起情報を出力させる制御を行う。
【００７５】
このため、ステップＳ１０４の処理によって、情報処理装置１２は、ユーザが次に視認すべき出力部（第１出力部２０または第２出力部３０）から、出力内容を出力させる制御を行うことができる。そして、出力内容は、上述したように、ユーザの注意を喚起する喚起情報を含む。制御された出力部（第１出力部２０または第２出力部３０）は、音、光、画像、振動等によって、喚起情報を出力する。このため、本実施形態の情報処理装置１２では、次の操作対象の装置側や次の確認対象の装置側へユーザの意識を容易に誘導させることができる。従って、本実施形態の情報処理装置１２では、ユーザの操作性を向上させることができる。
【００７６】
次に、操作機器１４が実行する情報処理の手順を説明する。
【００７７】
図５は、操作機器１４が実行する情報処理の手順を示すフローチャートである。
【００７８】
まず、受付部３４Ａが、ユーザによる操作部３２の操作指示有りか否かを判断する（ステップＳ２００）。受付部３４Ａは、操作部３２から、操作内容を示す信号を受け付けたか否かを判別することで、ステップＳ２００の判断を行う。
【００７９】
ステップＳ２００で肯定判断すると（ステップＳ２００：Ｙｅｓ）、ステップＳ２０２へ進む。ステップＳ２０２では、第２出力制御部３４Ｂは、ステップＳ２００で受信した信号に含まれる操作内容を含む第１信号を情報処理装置１２へ送信する（ステップＳ２０２）。
【００８０】
具体的には、第２出力制御部３４Ｂは、ステップＳ２００で操作内容を示す信号を受け付けると、処理条件としての該操作内容に対応する処理内容を、記憶部２８の第２条件データから読み取る。そして、第２出力制御部３４Ｂは、読取った処理内容である、「操作内容を含む第１信号を情報処理装置１２へ送信」に従い、ステップＳ２００で受信した信号に含まれる操作内容を含む第１信号を情報処理装置１２へ送信する。そして、本ルーチンを終了する。
【００８１】
一方、ステップＳ２００で否定判断すると（ステップＳ２００：Ｎｏ）、ステップＳ２０４へ進む。ステップＳ２０４では、情報処理装置１２から第２信号を受信したか否かを判断する（ステップＳ２０４）。ステップＳ２０４で肯定判断すると（ステップＳ２０４：Ｙｅｓ）、ステップＳ２０６へ進む。
【００８２】
ステップＳ２０６では、第２出力制御部３４Ｂが、ステップＳ２０４で受信した第２信号に含まれる出力内容を、第２出力部３０に出力させる制御を行う（ステップＳ２０６）。そして、本ルーチンを終了する。一方、ステップＳ２０４で否定判断すると（ステップＳ２０４：Ｎｏ）、本ルーチンを終了する。
【００８３】
ここで、上述したように、情報処理装置１２から受信した第２信号に含まれる出力内容は、喚起情報を含む。また、第２信号は、操作機器１４から情報処理装置１２へ送信した、操作機器１４の操作内容を含む第１信号に応じた信号である。そして、操作機器１４では、受信した第２信号に含まれる喚起情報を、第２出力部３０へ出力させる制御を行う。
【００８４】
このため、本実施形態の情報処理システム１０では、ユーザが次に視認すべき装置が操作機器１４である場合には、操作機器１４の第２出力部３０から喚起情報が出力される。また、ユーザが次に視認すべき装置が情報処理装置１２である場合には、情報処理装置１２の第１出力部２０から喚起情報が出力される。
【００８５】
このため、本実施形態の情報処理システム１０では、次の操作対象の装置側や次の確認対象の装置側へユーザの意識を容易に誘導させることができる。
【００８６】
次に、情報処理システム１０で実行する情報処理について、具体的な処理の流れを、一例を挙げて具体的に説明する。
【００８７】
図６は、情報処理システム１０で実行する情報処理の流れを示すシーケンス図である。
【００８８】
なお、図６は、情報処理装置１２の記憶部１８に、第１条件データとして図２に示す第１条件データが記憶されている場合を示す。また、図６は、操作機器１４の操作部３２の操作によって、「電源」ボタン操作、「再生」ボタン操作、「上矢印」ボタン操作、「下矢印」ボタン操作、「決定」ボタン操作、がこの順に操作された場合を説明している。
【００８９】
まず、ユーザが操作機器１４の操作部３２を操作し、操作部３２の「電源」ボタンを操作したとする。すると、操作部３２は、ユーザによる操作部３２の操作内容として、“「電源」ボタン操作”を含む第１信号を、制御部３４へ送信する（ＳＥＱ３００）。
【００９０】
制御部３４は、“「電源」ボタン操作”を含む第１信号を受付部３４Ａで受け付ける。送信部３４Ｃは、受け付けた第１信号を、情報処理装置１２へ送信する（ＳＥＱ３０２）。
【００９１】
情報処理装置１２の受付部２４Ａは、操作機器１４から第１信号を受け付ける。すると、第１出力制御部２４Ｂが、受け付けた第１信号に含まれる操作内容である“「電源」ボタン操作”と、該情報処理装置１２の状態と、に対応する処理内容を、記憶部１８の第１条件データから読取る（ＳＥＱ３０４）。なお、ＳＥＱ３０２による第１信号の受信時には、情報処理装置１２は、電源オフの状態であったとする。
【００９２】
ＳＥＱ３０４では、第１出力制御部２４Ｂは、情報処理装置１２を電源オンの状態とした後に、情報処理装置１２の状態である「電源オフ中」、及び第１信号に含まれる操作内容である“「電源」ボタン操作”に対応する処理内容として、処理順「１」〜処理順「３」の各々に対応する出力内容及び出力部を示す識別情報を読取る（図２も参照）。具体的には、第１出力制御部２４Ｂは、処理順「１」に対応する出力内容“前回表示したチャンネルの映像”と、出力部を示す識別情報“第１出力部”を読取る。また、第１出力制御部２４Ｂは、処理順「２」に対応する出力内容（喚起情報）“「電源が入りました」を示す情報”と、出力部を示す識別情報“第１出力部”を読取る。また、第１出力制御部２４Ｂは、処理順「３」に対応する出力内容（喚起情報）“「新規予約」ボタン、または「再生」ボタンの操作を促す情報”と、出力部を示す識別情報“第２出力部”を読取る。
【００９３】
そして、第１出力制御部２４Ｂは、まず、処理順「１」に対応する処理として、前回表示したチャンネルの映像を記憶部１８から読み取り、読取った映像を再生するように第１出力部２０を制御する（ＳＥＱ３０６）。次に、第１出力制御部２４Ｂは、処理順「２」に対応する処理として、「電源が入りました」を示す情報（喚起情報）を出力するように第１出力部２０を制御する（ＳＥＱ３０８）。なお、ＳＥＱ３０８において、第１出力制御部２４Ｂは、「電源が入りました」を示す情報を、音声によって第１出力部２０から出力してもよい。
【００９４】
次に、第１出力制御部２４Ｂは、処理順「３」に対応する処理として、“「新規予約」ボタン、または「再生」ボタンの操作を促す情報”を、識別情報「第２出力部」によって特定される出力部である第２出力部３０へ出力させる制御を行う。具体的には、第１出力制御部２４Ｂは、“「新規予約」ボタン、または「再生」ボタンの操作を促す情報”を出力内容として含む第２信号を、送信部２４Ｃを介して操作機器１４へ送信する（ＳＥＱ３１０）。
【００９５】
操作機器１４の制御部３４は、受付部３４Ａで第２信号を受け付ける。そして、第２出力制御部３４Ｂは、受け付けた第２信号に含まれる出力内容である“「新規予約」ボタン、または「再生」ボタンの操作を促す情報”を、第２出力部３０へ出力する制御を行う（ＳＥＱ３１２）。ＳＥＱ３１２の処理によって、操作機器１４の第２出力部３０には、「新規予約」ボタン、または「再生」ボタンの操作を促す情報（喚起情報）が、音声または画像（文字や絵等）の形態で出力される。
【００９６】
このように、ＳＥＱ３００〜ＳＥＱ３１２の処理によって、ユーザによる操作機器１４の操作部３２の操作内容に対して、ユーザが次に視認すべき出力部である情報処理装置１２の第１出力部２０から「電源が入りました」を示す喚起情報が出力された後に、ユーザが次に視認すべき出力部である操作機器１４の第２出力部３０から「新規予約」ボタンまたは「再生」ボタンの操作を促す喚起情報が出力される。
【００９７】
次に、ユーザが操作機器１４の操作部３２を操作し、操作部３２の「再生」ボタンを操作する。すると、操作部３２は、ユーザによる操作部３２の操作内容として、“「再生」ボタン操作”を含む第１信号を、制御部３４へ送信する（ＳＥＱ３１４）。
【００９８】
制御部３４は、“「再生」ボタン操作”を含む第１信号を受付部３４Ａで受け付ける。送信部３４Ｃは、受け付けた第１信号を、情報処理装置１２へ送信する（ＳＥＱ３１６）。
【００９９】
情報処理装置１２の受付部２４Ａは、操作機器１４から第１信号を受け付ける。すると、第１出力制御部２４Ｂが、受け付けた第１信号に含まれる操作内容である“「再生」ボタン操作”と、該情報処理装置１２の状態と、に対応する処理内容を、記憶部１８の第１条件データから読取る（ＳＥＱ３１８）。なお、ＳＥＱ３１４による第１信号の受信時には、情報処理装置１２は、電源オンの状態である。
【０１００】
ＳＥＱ３１８では、第１出力制御部２４Ｂは、情報処理装置１２の状態である「電源オン中」、及び第１信号に含まれる操作内容である“「再生」ボタン操作”に対応する処理内容として、処理順「１」〜処理順「４」の各々に対応する処理内容または出力内容及び出力部を示す識別情報を読取る（図２も参照）。
【０１０１】
具体的には、第１出力制御部２４Ｂは、処理順「１」に対応する処理内容“再生可能な番組の検索”を読取る。また、第１出力制御部２４Ｂは、処理順「２」に対応する出力内容“検索結果”と、出力部を示す識別情報“第１出力部”を読取る。また、第１出力制御部２４Ｂは、処理順「３」に対応する出力内容（喚起情報）“「再生一覧を表示します」を示す情報”と、出力部を示す識別情報“第１出力部”を読取る。また、第１出力制御部２４Ｂは、処理順「４」に対応する出力内容（喚起情報）“「上矢印」ボタン、「下矢印」ボタン、または「決定」ボタンの操作を促す情報”と、出力部を示す識別情報“第２出力部”を読取る。
【０１０２】
そして、第１出力制御部２４Ｂは、まず、処理順「１」に対応する処理として、記憶部１８から再生可能な番組を検索する（ＳＥＱ３２０）。具体的には、第１出力制御部２４Ｂは、記憶部１８に記憶されている番組を検索する。
【０１０３】
次に、第１出力制御部２４Ｂは、処理順「２」に対応する処理として、ＳＥＱ３２０の検索結果として、再生可能な番組の番組名一覧を第１出力部２０に表示する制御を行う（ＳＥＱ３２２）。
【０１０４】
次に、第１出力制御部２４Ｂは、処理順「３」に対応する処理として、「再生一覧を表示します」を示す情報を出力するように第１出力部２０を制御する（ＳＥＱ３２４）。なお、ＳＥＱ３２４において、第１出力制御部２４Ｂは、「再生一覧を表示します」を示す情報を、音声によって第１出力部２０から出力してもよい。
【０１０５】
次に、第１出力制御部２４Ｂは、処理順「４」に対応する処理として、“「上矢印」ボタン、「下矢印」ボタン、または「決定」ボタンの操作を促す情報”を、識別情報「第２出力部」によって特定される出力部である第２出力部３０へ出力させる制御を行う。具体的には、第１出力制御部２４Ｂは、“「上矢印」ボタン、「下矢印」ボタン、または「決定」ボタンの操作を促す情報”を出力内容として含む第２信号を、送信部２４Ｃを介して操作機器１４へ送信する（ＳＥＱ３２６）。
【０１０６】
操作機器１４の制御部３４は、受付部３４Ａで第２信号を受け付ける。そして、第２出力制御部３４Ｂは、受け付けた第２信号に含まれる出力内容である“「上矢印」ボタン、「下矢印」ボタン、または「決定」ボタンの操作を促す情報”を、第２出力部３０へ出力する制御を行う（ＳＥＱ３２８）。ＳＥＱ３２８の処理によって、操作機器１４の第２出力部３０には、“「上矢印」ボタン、「下矢印」ボタン、または「決定」ボタンの操作を促す情報”が、音声または画像（文字や絵等）の形態で出力される。
【０１０７】
このように、ＳＥＱ３１４〜ＳＥＱ３２８の処理によって、ユーザによる操作機器１４の操作部３２の操作内容に対して、ユーザが次に視認すべき出力部である情報処理装置１２の第１出力部２０に検索結果が表示されると共に、「再生一覧を表示します」を示す喚起情報が出力された後に、ユーザが次に視認すべき出力部である操作機器１４の第２出力部３０から、「上矢印」ボタン、「下矢印」ボタン、または「決定」ボタンの操作を促す喚起情報が出力される。
【０１０８】
次に、ユーザが操作機器１４の操作部３２を操作し、操作部３２の「上矢印」ボタンを操作する。すると、操作部３２は、ユーザによる操作部３２の操作内容として、“「上矢印」ボタン操作”を含む第１信号を、制御部３４へ送信する（ＳＥＱ３３０）。
【０１０９】
制御部３４は、“「上矢印」ボタン操作”を含む第１信号を受付部３４Ａで受け付ける。送信部３４Ｃは、受け付けた第１信号を、情報処理装置１２へ送信する（ＳＥＱ３３２）。
【０１１０】
情報処理装置１２の受付部２４Ａは、操作機器１４から第１信号を受け付ける。すると、第１出力制御部２４Ｂが、受け付けた第１信号に含まれる操作内容である“「上矢印」ボタン操作”と、該情報処理装置１２の状態と、に対応する処理内容を、記憶部１８の第１条件データから読取る（ＳＥＱ３３４）。なお、ＳＥＱ３３２による第１信号の受信時には、情報処理装置１２は、上記ＳＥＱ３２２の処理によって、再生可能な番組名一覧を第１出力部２０へ表示中の状態となっている。
【０１１１】
ＳＥＱ３３４では、第１出力制御部２４Ｂは、情報処理装置１２の状態である「再生可能な番組名一覧の表示中」、及び第１信号に含まれる操作内容である“「上矢印」ボタン操作”に対応する処理内容として、処理順「１」〜処理順「３」の各々に対応する処理内容または出力内容及び出力部を示す識別情報を読取る（図２も参照）。
【０１１２】
具体的には、第１出力制御部２４Ｂは、処理順「１」に対応する処理内容“１つ上の番組名の表示欄へカーソルを移動”を読取る。また、第１出力制御部２４Ｂは、処理順「２」に対応する出力内容（喚起情報）“「上」を示す情報”と、出力部を示す識別情報“第１出力部”を読取る。また、第１出力制御部２４Ｂは、処理順「３」に対応する出力内容（喚起情報）“「上矢印」ボタン、「下矢印」ボタン、または「決定」ボタンの操作を促す情報”と、出力部を示す識別情報“第２出力部”を読取る。
【０１１３】
そして、第１出力制御部２４Ｂは、まず、処理順「１」に対応する処理として、第１出力部２０に表示されている再生可能な番組名一覧上に示されるカーソルの表示位置を、１つ上の番組面の表示欄へ移動させる制御を行う（ＳＥＱ３３６）。
【０１１４】
次に、第１出力制御部２４Ｂは、処理順「２」に対応する処理として、「上」を示す情報を出力するように第１出力部２０を制御する（ＳＥＱ３３８）。なお、ＳＥＱ３３８において、第１出力制御部２４Ｂは、例えば、「上」を示す情報として、音声「ウエ」を第１出力部２０から出力してもよい。
【０１１５】
次に、第１出力制御部２４Ｂは、処理順「３」に対応する処理として、“「上矢印」ボタン、「下矢印」ボタン、または「決定」ボタンの操作を促す情報”を、識別情報「第２出力部」によって特定される出力部である第２出力部３０へ出力させる制御を行う。具体的には、第１出力制御部２４Ｂは、“「上矢印」ボタン、「下矢印」ボタン、または「決定」ボタンの操作を促す情報”を出力内容として含む第２信号を、送信部２４Ｃを介して操作機器１４へ送信する（ＳＥＱ３４０）。
【０１１６】
操作機器１４の制御部３４は、受付部３４Ａで第２信号を受け付ける。そして、第２出力制御部３４Ｂは、受け付けた第２信号に含まれる出力内容である“「上矢印」ボタン、「下矢印」ボタン、または「決定」ボタンの操作を促す情報”を、第２出力部３０へ出力する制御を行う（ＳＥＱ３４２）。ＳＥＱ３４２の処理によって、操作機器１４の第２出力部３０には、“「上矢印」ボタン、「下矢印」ボタン、または「決定」ボタンの操作を促す情報”が、音声または画像（文字や絵等）の形態で出力される。
【０１１７】
このように、ＳＥＱ３３０〜ＳＥＱ３４２の処理によって、ユーザによる操作機器１４の操作部３２の操作内容に対して、ユーザが次に視認すべき出力部である情報処理装置１２の第１出力部２０に表示された番組名一覧上のカーソルの表示位置が１つ下の欄に変更されると共に、「下」を示す喚起情報が出力される。そして、ユーザが次に視認すべき出力部である操作機器１４の第２出力部３０から、「上矢印」ボタン、「下矢印」ボタン、または「決定」ボタンの操作を促す喚起情報が出力される。
【０１１８】
次に、ユーザが操作機器１４の操作部３２を操作し、操作部３２の「下矢印」ボタンを操作する。すると、操作部３２は、ユーザによる操作部３２の操作内容として、“「下矢印」ボタン操作”を含む第１信号を、制御部３４へ送信する（ＳＥＱ３４４）。
【０１１９】
制御部３４は、“「下矢印」ボタン操作”を含む第１信号を受付部３４Ａで受け付ける。送信部３４Ｃは、受け付けた第１信号を、情報処理装置１２へ送信する（ＳＥＱ３４６）。
【０１２０】
情報処理装置１２の受付部２４Ａは、操作機器１４から第１信号を受け付ける。すると、第１出力制御部２４Ｂが、受け付けた第１信号に含まれる操作内容である“「下矢印」ボタン操作”と、該情報処理装置１２の状態と、に対応する処理内容を、記憶部１８の第１条件データから読取る（ＳＥＱ３４８）。なお、ＳＥＱ３４８による第１信号の受信時には、情報処理装置１２は、上記ＳＥＱ３２２の処理によって、再生可能な番組名一覧を第１出力部２０へ表示中の状態となっている。
【０１２１】
ＳＥＱ３４８では、第１出力制御部２４Ｂは、情報処理装置１２の状態である「再生可能な番組名一覧の表示中」、及び第１信号に含まれる操作内容である“「下矢印」ボタン操作”に対応する処理内容として、処理順「１」〜処理順「３」の各々に対応する処理内容または出力内容及び出力部を示す識別情報を読取る（図２も参照）。
【０１２２】
具体的には、第１出力制御部２４Ｂは、処理順「１」に対応する処理内容“１つ下の番組名の表示欄へカーソルを移動”を読取る。また、第１出力制御部２４Ｂは、処理順「２」に対応する出力内容（喚起情報）“「下」を示す情報”と、出力部を示す識別情報“第１出力部”を読取る。また、第１出力制御部２４Ｂは、処理順「３」に対応する出力内容（喚起情報）“「上矢印」ボタン、「下矢印」ボタン、または「決定」ボタンの操作を促す情報”と、出力部を示す識別情報“第２出力部”を読取る。
【０１２３】
そして、第１出力制御部２４Ｂは、まず、処理順「１」に対応する処理として、第１出力部２０に表示されている再生可能な番組名一覧上に示されるカーソルの表示位置を、１つ下の番組面の表示欄へ移動させる制御を行う（ＳＥＱ３５０）。
【０１２４】
次に、第１出力制御部２４Ｂは、処理順「２」に対応する処理として、「下」を示す情報を出力するように第１出力部２０を制御する（ＳＥＱ３５２）。なお、ＳＥＱ３５２において、第１出力制御部２４Ｂは、例えば、「下」を示す情報として、音声「シタ」を第１出力部２０から出力してもよい。
【０１２５】
次に、第１出力制御部２４Ｂは、処理順「３」に対応する処理として、“「上矢印」ボタン、「下矢印」ボタン、または「決定」ボタンの操作を促す情報”を、識別情報「第２出力部」によって特定される出力部である第２出力部３０へ出力させる制御を行う。具体的には、第１出力制御部２４Ｂは、“「上矢印」ボタン、「下矢印」ボタン、または「決定」ボタンの操作を促す情報”を出力内容として含む第２信号を、送信部２４Ｃを介して操作機器１４へ送信する（ＳＥＱ３５４）。
【０１２６】
操作機器１４の制御部３４は、受付部３４Ａで第２信号を受け付ける。そして、第２出力制御部３４Ｂは、受け付けた第２信号に含まれる出力内容（喚起情報）である“「上矢印」ボタン、「下矢印」ボタン、または「決定」ボタンの操作を促す情報”を、第２出力部３０へ出力する制御を行う（ＳＥＱ３５６）。ＳＥＱ３５６の処理によって、操作機器１４の第２出力部３０には、“「上矢印」ボタン、「下矢印」ボタン、または「決定」ボタンの操作を促す情報”が、音声または画像（文字や絵等）の形態で出力される。
【０１２７】
このように、ＳＥＱ３４４〜ＳＥＱ３５６の処理によって、ユーザによる操作機器１４の操作部３２の操作内容に対して、ユーザが次に視認すべき出力部である情報処理装置１２の第１出力部２０に表示された番組名一覧上のカーソルの表示位置が１つ上の欄に変更されると共に、「上」を示す喚起情報が出力される。そして、ユーザが次に視認すべき出力部である操作機器１４の第２出力部３０から、「上矢印」ボタン、「下矢印」ボタン、または「決定」ボタンの操作を促す喚起情報が出力される。
【０１２８】
次に、ユーザが操作機器１４の操作部３２を操作し、操作部３２の「決定」ボタンを操作する。すると、操作部３２は、ユーザによる操作部３２の操作内容として、“「決定」ボタン操作”を含む第１信号を、制御部３４へ送信する（ＳＥＱ３５８）。
【０１２９】
制御部３４は、“「決定」ボタン操作”を含む第１信号を受付部３４Ａで受け付ける。送信部３４Ｃは、受け付けた第１信号を、情報処理装置１２へ送信する（ＳＥＱ３６０）。
【０１３０】
情報処理装置１２の受付部２４Ａは、操作機器１４から第１信号を受け付ける。すると、第１出力制御部２４Ｂが、受け付けた第１信号に含まれる操作内容である“「決定」ボタン操作”と、該情報処理装置１２の状態と、に対応する処理内容を、記憶部１８の第１条件データから読取る（ＳＥＱ３６２）。なお、ＳＥＱ３６０による第１信号の受信時には、情報処理装置１２は、上記ＳＥＱ３２２の処理によって、再生可能な番組名一覧を第１出力部２０へ表示中の状態となっている。
【０１３１】
ＳＥＱ３６０では、第１出力制御部２４Ｂは、情報処理装置１２の状態である「再生可能な番組名一覧の表示中」、及び第１信号に含まれる操作内容である“「決定」ボタン操作”に対応する処理内容として、処理順「１」〜処理順「２」の各々に対応する処理内容または出力内容及び出力部を示す識別情報を読取る（図２も参照）。
【０１３２】
具体的には、第１出力制御部２４Ｂは、処理順「１」に対応する処理内容（喚起情報）“番組名Ｙを再生します”を読取る。なお、Ｙは、第１出力部２０に表示されている再生可能な番組名一覧によって示される番組名の内、カーソルが位置している番組名を示す。以下同様である。
【０１３３】
また、第１出力制御部２４Ｂは、処理順「２」に対応する出力内容“選択されている番組名Ｙの映像”と、出力部を示す識別情報“第１出力部”を読取る。
【０１３４】
そして、第１出力制御部２４Ｂは、まず、処理順「１」に対応する処理として、「番組名Ｙを再生します」を示す情報を出力するように第１出力部２０を制御する（ＳＥＱ３６４）。なお、ＳＥＱ３６４において、第１出力制御部２４Ｂは、例えば、「番組名Ｙを再生します」を示す情報として、音声「バングミメイワイヲサイセイシマス」を第１出力部２０から出力してもよい。
【０１３５】
次に、第１出力制御部２４Ｂは、処理順「２」に対応する処理として、記憶部１８に格納されている番組名Ｙの番組の映像を再生するように、第１出力部２０を制御する（ＳＥＱ３６６）。
【０１３６】
このように、ＳＥＱ３５８〜ＳＥＱ３６６の処理によって、ユーザによる操作機器１４の操作部３２の操作内容に対して、ユーザが次に視認すべき出力部である情報処理装置１２の第１出力部２０から、ユーザによって指示された番組名Ｙの番組が再生されると共に、該第１出力部２０から「番組名Ｙを再生します」を示す喚起情報が出力される。
【０１３７】
以上説明したように、本実施形態の情報処理システム１０では、ユーザが次に視認すべき出力部（第１出力部２０または第２出力部３０）から、出力内容を出力させる制御を行うことができる。そして、出力内容は、上述したように、ユーザの注意を喚起する喚起情報を含む。制御された出力部（第１出力部２０または第２出力部３０）は、音、光、画像、振動等によって、喚起情報を出力する。
【０１３８】
このため、本実施形態の情報処理システム１０では、次の操作対象の装置側や次の確認対象の装置側へユーザの意識を容易に誘導させることができる。すなわち、ユーザは、第１出力部２０及び第２出力部３０から順次出力される喚起情報に応じた方向に視線を向けることで、次に視認すべき装置側へ容易に順次視線を移動させ、次の操作を促す情報等を容易に確認することができる。
【０１３９】
従って、本実施形態の情報処理システム１０では、ユーザの操作性を向上させることができる。
【０１４０】
なお、本実施形態では、情報処理システム１０は、１つの情報処理装置１２と、１つの操作機器１４と、を備える場合を説明したが、複数の操作機器１４を備えた装置であってもよい。この場合には、情報処理装置１２では、各操作機器１４の各々に設けられた出力部を示す識別情報を、記憶部１８の第１条件データに予め登録すればよい。
【０１４１】
また、操作機器１４を複数備えた場合の他の例として、操作機器１４の通信部からの第１信号に操作機器１４の識別情報を含め、情報処理装置１２は、第１信号を送信した操作機器１４の識別情報を記憶部１８に記憶する。そして、情報処理装置１２は、記憶した操作機器１４の識別情報を用いて、喚起情報を出力する操作機器１４の出力部を決定してもよい。
【０１４２】
具体的には、情報処理装置１２の制御部２４が、記憶部１８に記憶する操作機器１４の識別情報を上書きする。情報処理装置１２は、上書きされた最新の識別情報によって識別される操作機器１４に、喚起情報を送信する。すなわち、喚起情報を出力する直前に第１信号を送信した操作機器１４の出力部に、喚起情報を出力する。この例では、操作機器１４が複数の場合でも、適切な出力部から喚起情報を出力できる。
【０１４３】
なお、本実施形態の情報処理装置１２及び操作機器１４は、ＣＰＵなどの制御装置を備えており、通常のコンピュータを利用したハードウェア構成となっている。
【０１４４】
本実施形態の情報処理装置１２及び操作機器１４の各々で実行される各種情報処理を実行するためのプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供されてもよい。
【０１４５】
また、本実施形態の情報処理装置１２及び操作機器１４の各々で実行される各種情報処理を実行するためのプログラムを、インターネット等のネットワークに接続されたコンピュータ上に格納し、ネットワーク経由でダウンロードさせることにより提供するように構成してもよい。また、本実施形態の情報処理装置１２及び操作機器１４の各々で実行される各種情報処理を実行するためのプログラムをインターネット等のネットワーク経由で提供または配布するように構成してもよい。
【０１４６】
また、本実施形態の情報処理装置１２及び操作機器１４の各々で実行される各種情報処理を実行するためのプログラムを、ＲＯＭ等に予め組み込んで提供するように構成してもよい。
【０１４７】
なお、本実施形態の情報処理装置１２及び操作機器１４の各々で実行される各種情報処理を実行するためのプログラムは、上述した処理を実行するための機能部を含むモジュール構成となっており、実際のハードウェアとしてはＣＰＵ（プロセッサ）が上記記憶媒体から各種プログラムを読み出して実行することにより上記各機能部が主記憶装置上にロードされ、主記憶装置上に生成されるようになっている。
【０１４８】
なお、上記には、本発明の実施形態を説明したが、上記実施形態は、一例として提示したものであり、発明の範囲を限定することは意図していない。上記実施形態は、その他の様々な形態で実施されることが可能であり、発明の要旨を逸脱しない範囲で、種々の省略、置き換え、変更を行うことができる。上記実施形態やその変形は、発明の範囲や要旨に含まれるとともに、特許請求の範囲に記載された発明とその均等の範囲に含まれる。
【０１４９】
＜実施形態２＞
なお、上記実施形態１では、情報処理装置１２の記憶部１８に、複数の操作内容ごとの処理内容に対応付けて出力部を示す識別情報を第１条件データとして記憶し、操作機器１４の記憶部２８に、処理条件ごとの処理内容を示す第２条件データを記憶する例を説明した。しかし、情報処理装置１２の記憶部１８に第１条件データを記憶せず、操作機器１４の記憶部２８に第２条件データを記憶する形態に限られない。
【０１５０】
例えば、以下の構成であってもよい。
【０１５１】
図１に、実施形態２の情報システム１００を示した。
【０１５２】
情報処理システム１００は、情報処理装置１２０と、操作機器１４０と、を備える。情報処理装置１２０と操作機器１４０とは、有線または無線の通信回線を介して接続されている。
【０１５３】
情報処理装置１２０は、受信部１６０、記憶部１８０、第１出力部２００、通信部２２０、及び制御部２４０を備える。操作機器１４０は、各種情報を出力する第２出力部３００を備える。通信部２２０は、操作機器１４０から第１信号を受信する。また、通信部２２０は、制御部２４０の制御によって操作機器１４０へ第２信号を送信する。
【０１５４】
記憶部１８０は、ハードディスクドライブ（ＨＤＤ）装置等の記憶媒体である。記憶部１８０は、受信部１６０で受信した番組データや、各種データを記憶する。なお、本変形例では、記憶部１８０は、上記記憶部１８とは異なり、第１条件データを記憶していない。
【０１５５】
制御部２４０は、受付部２４０Ａ、第１出力制御部２４０Ａ、及び送信部２４０Ｃを備える。
【０１５６】
受付部２４０Ａは、操作機器１４０から、通信部２２０を介して第１信号を受け付ける。送信部２４０Ｃは、第２信号等の各種信号を操作機器１４０へ送信する制御を行う。
【０１５７】
第１出力制御部２４０Ｂは、受付部２４Ａで受け付けた第１信号に含まれる操作内容に基づいて、第１出力部２００、または操作機器１４０の第２出力部３００を制御する。
【０１５８】
操作機器１４０は、通信部２６０（第２通信部）、第２出力部３００、及び操作部３２０を備える。なお、操作機器１４０は、上記実施形態の操作機器１４における、制御部３４、及び記憶部２８に対応する構成を備えていない。
【０１５９】
通信部２６０は、第２出力部３００に接続されている。通信部２６０は、図示しない送信部及び受信部を備える。操作機器１４０は、通信部２６０により第２信号を受信し、第２信号に含まれる出力内容を取り出して第２出力部３００に出力する。第２出力部は、通信部２６０から受け付けた出力内容を出力する。また、操作部３２０は通信部２６０に接続されている。操作部３２０はユーザにより操作されると、操作内容を通信部２６０に出力する。通信部２６０は操作部３２０から受け付けた操作内容を第１信号に含めて送信する。通信部２６０は図示しない復調回路及び変調回路を含む。第２出力部３００は図示しない増幅部及びスピーカを含む。
【０１６０】
図７は、本実施形態２で情報処理装置１２０の制御部２４０が実行する喚起情報出力処理の一例である。この喚起情報出力処理は、情報処理装置１２０の制御部２４０により定期的に実行されている。
【０１６１】
まず、制御部２４０の受付部２４０Ａが、第１信号を受信したか否かを判別する（ステップＳ４００）。第１信号を受信したことを判別した場合（ステップＳ４００：Ｙｅｓ）、制御部２４０は、第１信号に含まれる操作機器１４０の操作内容を読み取る（ステップＳ４０２）。
【０１６２】
次に、制御部２４０の第１出力制御部２４０Ｂは、ステップＳ４０２で読み取った操作機器１４０の操作内容を示す喚起情報（音声）を第１出力部２００より出力する（ステップＳ４０４）。第１出力部２００により喚起情報が出力されると、制御部２４０は操作内容を実行する（ステップＳ４０６）。
【０１６３】
第１信号を受信しなかった場合（ステップ４００：Ｎｏ）、ステップＳ４０８へ進む。ステップＳ４０８では、制御部２４０が、第１出力部２００において、複数の選択肢を表示するか又は別の機器に表示させており、且つ、選択指示情報を待ち受けている状態かどうかを判別する（ステップＳ４０８）。ステップＳ４０８で、選択指示情報を待ち受けているかどうかは、選択肢を選ぶ操作内容を第１信号から読み取ることによって、処理が実行される状態であるかを判別する。
【０１６４】
複数の選択肢の具体例は、再生可能な番組名の一覧や、設定項目である。選択肢を選ぶ操作内容の具体例は、「決定」、「上」、「下」である。
【０１６５】
複数の選択肢を表示するか又は別の機器に表示させており、かつ、選択指示情報を待ち受けている状態は、例えば、第１信号に含まれる「電源」、「決定」などの操作内容に基づいて実行されてもよい。また、直接的に第１信号に含まれる操作内容に基づかなくとも、予約再生されていた番組の再生が終了したことなどをトリガとして実行されてもよい。
【０１６６】
複数の選択肢を表示するか又は別の機器に表示させており、かつ、選択指示情報を待ち受けている状態であることを判別した場合（ステップＳ４０８：Ｙｅｓ）、選択指示を促す喚起情報（音声）を操作機器１４０の第２出力部３００に出力させる（ステップＳ４１０）。
【０１６７】
ステップＳ４１０では、具体的に、第１出力制御部２４０Ｂは、“「上矢印」ボタン、「下矢印」ボタン、または「決定」ボタンの操作を促す情報”を出力内容として含む第２信号を、送信部２４０Ｃを介して操作機器１４０へ送信する。
【０１６８】
ステップ４０６又はステップＳ４１０の処理を終了した後、喚起情報出力処理を終了する。
【０１６９】
操作機器１４０は、第２出力部３００に、受け付けた第２信号に含まれる出力内容（喚起情報）を出力する。
【０１７０】
以上説明したように、実施形態２の情報処理システム１００では、情報処理装置１２０の記憶部１８０の記憶容量が低減できる。また、実施形態２の情報処理システム１００では、操作機器１４０に記憶部及び制御部を備える必要がないため、コストを低減しつつ、ユーザの操作性を向上させることができる。
【０１７１】
＜変形例＞
なお、実施形態２変形例として、ユーザによる操作内容が「決定」の場合にのみ、第１出力部（第１出力部２００）から喚起情報を出力し、その他の操作内容の場合には、第２出力部（第２出力部３０）から喚起情報を出力してもよい。
【０１７２】
この場合には、図１に示す情報処理システム１０１の構成とすればよい。情報処理システム１０１は、情報処理装置１２１、及び操作機器１４１を備える。情報処理装置１２１と操作機器１４１とは、有線または無線の通信回線を介して接続されている。
【０１７３】
情報処理装置１２１は、受信部１６０、記憶部１８０、第１出力部２０１、通信部２２１、制御部２４１、を備える。受信部１６０、記憶部１８０、は、実施形態２と同様である。
【０１７４】
第１出力部２０１は、ユーザによる操作内容が「決定」の場合にのみ、第１出力部（第１出力部２０、第１出力部２００）から喚起情報を出力する以外は、変形例１と同様である。通信部２２１は、操作機器１４１から第１信号を受信する。また、通信部２２１は、制御部２４１の制御によって操作機器１４１へ第２信号を送信する。
【０１７５】
制御部２４１は、受付部２４１Ａ、第１出力制御部２４１Ｂ、及び送信部２４１Ｃを備える。
【０１７６】
受付部２４１Ａは、操作機器１４１から、通信部２２１を介して第１信号を受け付ける。送信部２４１Ｃは、第２信号等の各種信号を操作機器１４０へ送信する制御を行う。
【０１７７】
第１出力制御部２４１Ｂは、受付部２４Ａで受け付けた第１信号に含まれる操作内容が「決定」の場合に、第１出力部２０１から喚起情報を出力し、その他の操作内容に場合には、第２出力部３００から喚起情報を出力する制御を行う。
【０１７８】
操作機器１４１は、情報処理装置１２０に替えて、情報処理装置１２１との間で信号授受を行う以外は、操作機器１４０と同じ構成である。
【０１７９】
本変形例では、第１出力制御部２４１Ｂは、通信部２２１を介して受付部２４１Ａで受信した第１信号に含まれる操作内容が「決定」の場合、決定された項目の内容を喚起情報として、第１出力部２０１により出力する。
【０１８０】
一方、第１出力制御部２４１Ｂは、通信部２２１を介して受付部２４１Ａで受信した第１信号に含まれる操作内容が「決定」以外、例えば、「上」、「下」である場合、「上」、「下」を操作されたことにより選択された選択項目の内容を出力内容として含む第２信号を、送信部２４１Ｃを介して操作機器１４１へ送信する。
【０１８１】
操作機器１４１は、第２出力部３００に、受け付けた第２信号に含まれる出力内容（喚起情報）を出力する。
【０１８２】
このように、本変形例の情報処理システム１０１では、ユーザによる操作内容が「決定」の場合にのみ、第１出力部２０１から喚起情報を出力し、その他の操作内容に場合には、操作機器１４１の第２出力部３００から喚起情報を出力する。
【０１８３】
このため、ユーザは選択項目を選択する際に、意識を操作機器１４１に集中させることができ、ユーザの操作性を向上させることができる。
【符号の説明】
【０１８４】
１０  情報処理システム
１２  情報処理装置
１４  操作機器
１８  記憶部
２０  第１出力部
２４Ａ  受付部
２４Ｂ  第１出力制御部
２４Ｃ  送信部
３０  第２出力部
３２  操作部
３４Ａ  受付部
３４Ｂ  第２出力制御部
３４Ｃ  送信部
【図１】
2014063419.tif 000003
【図２】
2014063419.tif 000004
【図３】
2014063419.tif 000005
【図４】
2014063419.tif 000006
【図５】
2014063419.tif 000007
【図６】
2014063419.tif 000008
【図７】
2014063419.tif 000009